(57)【要約】【課題】従来の水中マスクの改良であって、マスク本体に対するバックルの取り付けが容易であり、かつ、使用中等にバックルがマスク本体から外れるおそれがない水中マスクの提供。【解決手段】スカート１３の少なくとも後方周縁部１９は、弾性変形可能な柔軟弾性部材から形成されており、マスク本体の両側部には、弾性変形可能な柔軟弾性部材からなり、バックル１５と連結される連結部２０が形成されている。バックル１５は、硬質プラスチック材料からなるバックル本体２５を有し、また、連結部２０はバックル本体２５に係止される係止部２３を有する。バックル本体２５は、バックル本体２５の空間部３４に連通し、かつ、係止部２３の断面外形よりも小さな透孔３１が形成された受止部３２を有し、係止部２３が弾性変形しながら透孔３１から空間部３４に挿入される。【選択図】図３
2011135946.tif 000002
【特許請求の範囲】
【請求項１】
前後方向と、レンズと、レンズフレームと、レンズフレームの周縁から後方に延び、着用者の顔面に当接する後方周縁部を有するスカートとからなるマスク本体と、前記マスク本体の両側部に取りけられたバックルと、バックルを介して前記マスク本体に連結されたストラップとを有する水中マスクにおいて、
前記マスク本体の両側部には、弾性変形可能な柔軟弾性材料からなり、前記バックルと連結される連結部が形成されており、
前記バックルは、硬質プラスチック材料からなるバックル本体を有し、
前記バックル本体は、前記バックル本体の空間部に連通し、かつ、前記連結部の断面外径よりも小さな透孔が形成された受止部を有し、前記連結部が弾性変形しながら前記透孔から前記空間部に挿入されることを特徴とする前記水中マスク。
【請求項２】
前記スカートの前記後方周縁部が、弾性変形可能な柔軟弾性材料から形成されており、前記連結部が、前記後方周縁部から後方へ延び、それと一体に成形されている請求項１記載の水中マスク。
【請求項３】
前記連結部が、前記レンズフレームの両側部から後方へ延びている請求項１記載の水中マスク。
【請求項４】
前記連結部が、前記バックル本体の前記空間部に位置する係止部と、前記スカートの前記後方周縁部から延出する基端部とを有し、前記透孔が、前記係止部が挿通される第１挿通孔と、前記第１挿通孔と連通し、かつ、それに比して幅狭の第２挿通孔とを有し、前記基端部の上下側縁のうちの前記係止部寄りの部位には凹状部が形成されており、前記凹状部が前記透孔の上下端縁に嵌合される請求項１又は２に記載の水中マスク。
【請求項５】
前記連結部が、前記バックル本体の前記空間部に位置する係止部と、前記レンズフレームの両側部から延出する基端部とを有し、前記透孔が、前記係止部が挿通される第１挿通孔と、前記第１挿通孔と連通し、かつ、それに比して幅狭の第２挿通孔とを有し、前記基端部の上下側縁のうちの前記係止部寄りの部位には凹状部が形成されており、前記凹状部が前記透孔の上下端縁に嵌合される請求項１又は３に記載の水中マスク。
【請求項６】
前記係止部が第１及び第２端部を有し、前記第１及び第２端部のうちの少なくともいずれか一方の端部が先尖状を有する請求項１〜５のいずれかに記載の水中マスク。
【請求項７】
前記透孔が前記係止部の断面形状とほぼ同一の形状を有する請求項１〜６のいずれかに記載の水中マスク。
【発明の詳細な説明】
【技術分野】
【０００１】
本発明は、水中マスク、特に、バックルのマスク本体に対する取り付けが容易であり、かつ、使用中にバックルが不容易に外れることのない水中マスクの提供に関する。
【背景技術】
【０００２】
特許文献１に開示された水中マスクは、レンズと、レンズフレームと、レンズフレームから後方へ延びるスカートとからなるマスク本体と、レンズフレームの両側に設けられたバックルと、バックルにその先端部が長さ調節可能に掛けまわされているストラップとを含み、バックルには、ストラップの位置を調整するための回動角度規制手段が設けられている。
【先行技術文献】
【特許文献】
【０００３】
【特許文献１】特開２００４−１３６０５７号公報
【発明の概要】
【発明が解決しようとする課題】
【０００４】
特許文献１の水中マスクによれば、バックルの回動角度規制手段を用いることによって、ストラップの位置を調整することができ、ストラップを所望の位置に固定することができる。しかし、回動角度規制手段は、マスク本体とストラップとの別体からなる、ばね部材や固定部材から構成されており、一般的な水中マスクに比べて部品点数が多い。また、回動角度規制手段によって、マスク本体に対するストラップの位置を調整することは可能であるが、連結する部材がすべて硬質プラスチック材料から形成されているので、ストラップの連結部は、マスク本体の横方向に対して可撓性を有するものではない。したがって、持ち運びするとき又は使用中などに、ストラップがマスク本体の横方向に引っ張られた場合には、バックルがマスク本体から外れてしまうおそれがある。
【０００５】
本発明の課題は、従来の水中マスクの改良であって、マスク本体に対するバックルの取り付けが容易であり、かつ、使用中等にバックルがマスク本体から外れるおそれがない水中マスクの提供にある。
【課題を解決するための手段】
【０００６】
前記課題を解決するための手段として、本発明は、前後方向と、レンズと、レンズフレームと、前記レンズフレームの周縁から後方に延び、着用者の顔面に当接する後方周縁部を有するスカートとを含むマスク本体と、前記マスク本体の両側部に取りけられたバックルと、前記バックルを介して前記マスク本体に連結されたストラップとを有する水中マスクの改良に関わる。
【０００７】
本発明の特徴とするところは、前記マスク本体の両側部には、弾性変形可能な柔軟弾性材料からなり、前記バックルと連結される連結部が形成されており、前記バックルは、硬質プラスチック材料からなるバックル本体を有し、前記バックル本体は、前記バックル本体の空間部に連通し、かつ、前記連結部の断面外径よりも小さな透孔が形成された受止部を有し、前記連結部が弾性変形しながら前記透孔から前記空間部に挿入される。
【０００８】
本発明は、前記特徴とする構成のほかに、以下の好ましい実施の形態を含む。
（１）前記スカートの前記後方周縁部が、弾性変形可能な柔軟弾性材料から形成されており、前記連結部が、前記後方周縁部から後方へ延び、それと一体に成形されている。
（２）前記連結部が、前記レンズフレームの両側部から後方へ延びている。
（３）前記連結部が、前記バックル本体の前記空間部に位置する係止部と、前記スカートの前記後方周縁部から延出する基端部とを有し、前記透孔が、前記係止部が挿通される第１挿通孔と、前記第１挿通孔と連通し、かつ、それに比して幅狭の第２挿通孔とを有し、前記基端部の上下側縁のうちの前記係止部寄りの部位には凹状部が形成されており、前記凹状部が前記透孔の上下端縁に嵌合される。
（４）前記連結部が、前記バックル本体の前記空間部に位置する係止部と、前記レンズフレームの両側部から延出する基端部とを有し、前記透孔が、前記係止部が挿通される第１挿通孔と、前記第１挿通孔と連通し、かつ、それに比して幅狭の第２挿通孔とを有し、前記基端部の上下側縁のうちの前記係止部寄りの部位には凹状部が形成されており、前記凹状部が前記透孔の上下端縁に嵌合される。
（５）前記係止部が第１及び第２端部を有し、前記第１及び第２端部のうちの少なくともいずれか一方の端部が先尖状を有する。
（６）前記透孔が前記係止部の断面形状とほぼ同一の形状を有する。
【発明の効果】
【０００９】
本発明に係る水中マスクによれば、バックルが連結されるマスク本体の連結部が、弾性変形可能な柔軟弾性部材から形成されているので、連結部がマスク本体の全方位に対して可撓性を有し、ストラップをマスク本体の側方又は後方に引っ張った場合であっても、バックルがマスク本体から外れるおそれはない。また、他の部材を介することなく、バックルを直接マスク本体に連結することができるので、連結操作が容易である。
【図面の簡単な説明】
【００１０】
【図１】本発明の第１実施形態における水中マスクの斜視図。
【図２】図１のＩＩ−ＩＩ線断面図。
【図３】内側から見た使用状態におけるバックル内部の一部拡大図。
【図４】マスク本体の側面図。
【図５】バックル本体の平面図。
【図６】バックル本体の受止部の拡大図。
【図７】（ａ）〜（ｃ）連結部の係止部をバックル本体の透孔に挿入する過程を示す図。
【図８】本発明の第２実施形態における水中マスクの斜視図。
【発明を実施するための形態】
【００１１】
＜第１実施形態＞
図１は、水中マスク１０の斜視図、図２は、図１のＩＩ−ＩＩ線断面図、図３は、内側から見た使用状態におけるバックル１５内部の一部拡大図、図４は、マスク本体１４の側面図、図５は、バックル本体２５の平面図、図６は、バックル本体２５の受止部３２の拡大図である。
【００１２】
図１に斜視図で示された水中マスク１０は、縦方向Ａとそれに直交する横方向Ｂと、縦方向Ａおよび横方向Ｂに直交する前後方向Ｃと、レンズ１１が嵌められたレンズフレーム１２と、レンズフレーム１２から後方へ延びるスカート１３とを有するマスク本体１４と、レンズフレーム１２の両側に設けられたバックル１５と、バックル１５にその先端部１６ａが長さ調節可能に掛けまわされているストラップ１６とを含む。
【００１３】
レンズ１１は、無機または有機の透明板から形成されており、レンズフレーム１２は硬質プラスチック材料から形成されている。スカート１３は、レンズ１１及びレンズフレーム１２の横方向Ｂの中央部に位置する凹部において前方へ向かって突出するように形成された鼻覆い部１８と、着用者の顔面に当接する環状の後方周縁部１９とを有し、ゴムやプラスチックエラストマー等の柔軟弾性材料から形成されている。また、スカート１３の両側部には、後方周縁部１９と一体に成形され、バックル１５に連結された連結部２０が形成されている。バックル１５は、レンズフレーム１２と同様に硬質プラスチック材料から形成されており、ストラップ１６はスカート１３と同様にまたはそれ以上に軟質の柔軟弾性材料から形成されており、その内面には、その長さ方向へ等間隔に並んだ複数の係合歯１７が形成されている。
【００１４】
図３及び４に示すとおり、スカート１３の連結部２０は、後方周縁部１９から後方に延出する基部２２と、基部２２と連なり、ほぼ断面台形状の矩形を有する係止部２３とを有する。係止部２３は、基部２２よりも肉厚であって、基部２２よりも縦方向Ａの外側にそれぞれ延出する第１及び第２端部２３ａ，２３ｂと、基部２２よりも横方向Ｂの外側に延びる側縁部２３ｃと、側縁部２３ｃから傾斜しながら後方へ延びる傾斜部２３ｄと、基部２２とほぼ同じ縦寸法を有する平面形状の後端部２３ｅとを有する。また、基部２２と係止部２３との間には、凹部２４が形成されている。なお、後述する受止部３２は、２〜５ｍｍの厚さを有し、係止部２３は、３〜１０ｍｍ程度の厚さを有するものであって、係止部２３は、その厚さが約３ｍｍの場合にはゴム硬度が８０〜１００Ａ、約１０ｍｍの場合には、ゴム硬度が２０〜３０Ａ程度であることが好ましい。
【００１５】
なお、本実施形態では、連結部２０は、スカート１３の両側部から後方へ延出しているが、レンズフレーム１２の両側部から後方へ延出していてもよい。その場合には、連結部２０をレンズフレーム１２及びスカート１３とは別体の弾性変形可能な柔軟弾性材料から形成することができる。
【００１６】
図２、３及び５に示すとおり、バックル１５は、スカート１３の後方周縁部１９と対向する側（内面）が開口しており、硬質プラスチック材料からなるバックル本体２５と、バックル本体２５に挿抜可能に組み付けられた、軟質または硬質プラスチック材料からなるアジャスター部材２６とを有する。バックル本体２５は、縦方向Ａに離間対向する一対の側板２７，２８と、側板２７，２８間に位置する板状部２９と、スカート１３の係止部２３が挿通される透孔３１を有する受止部３２とを有し、その内部には、空間部３４が画成されている。側板２７，２８と板状部２９との交差する前端部３３は、受止部３２よりも前方に凸曲状に突出している。空間部３４には、空間部３４内において側板２７，２８の幅方向に凸となる突出部３５が形成されており、また、側板２７，２８の後端縁間には、それらをつなぐ円棒状の軸部３６が形成されている。軸部３６にはストラップ１６の先端部１６ａが掛けまわされ、かつ、固定されている。
【００１７】
アジャスター部材２６は、バックル本体２５の板状部２９に外側から当接する平板状の挟持部３７と、バックル本体２５の側板２７，２８の後端縁からさらに後方へ延び、その一部が折曲して横方向Ｂ外方に斜めに延出している把持部３８と、挟持部３７と把持部３８とに連接し、突出壁３５と側板２７，２８との間に位置する、一対のバネ部３９とを有する。把持部３８と対向する側には、バネ部３９から後方に延びる係止片４０が形成されており、係止片４０には、ストラップ１６の係合歯１７が係止されている。ストラップ１６の長さを調節する場合やバックル１５からストラップ１６を取り外すときには、把持部３８を指で持ち上げてバネ部３９をバックル本体２５の板状部３７側に向かって弾性変形させることによって、係止片４０とストラップ１６の係合歯１７との係止を解除することができる。また、アジャスター部材２６の挟持部３７の先端の内面には、係止突起４１が形成されており、係止突起４１は、バックル本体２５の板状部２９に画成された矩形の開口４２に係合されている。
【００１８】
図６に示すとおり、バックル本体２５の受止部３２には、空間部３４に連通する透孔３１が形成されており、透孔３１は、連結部２０の係止部２３の断面形状に沿った略台形状を有する上方開口縁３１ａと、上方開口縁３１ａと連なって下方に延び、かつ、それよりも幅狭の細長状を呈する下方開口縁３１ｂと、上方開口縁３１ａと下方開口縁３１ｂとによって、それぞれ画成された、第１挿通孔４３と第２挿通孔４４とを有する。透孔３１の長さ寸法は、係止部２３の長さ寸法よりも小さく形成されており、また、第１挿通孔４３は、係止部２３の断面外形よりも小さく形成されている。
【００１９】
かかる構成を有する水中マスク１０において、バックル１５の空間部３４では、連結部２０の係止部２３が、バックル本体２５の空間部３４に位置し、その第１及び第２端部２３ａ，２３ｂと側縁部２３ｃとが受止部３２の内面に当接し、かつ、基部２２の凹部２４が、上方開口縁３１ａの上端と下方開口縁３１ｂの下端とにそれぞれ嵌合されているので、バックル１５またはストラップ１６を後方へ引っ張っても、バックル１５が水中マスク本体１４から外れるおそれはない。また、連結部２０は、前述のとおり、比較的に薄肉の柔軟弾性材料から形成されており、マスク本体１４の全方位に対して比較的に高い可撓性を有しているので、水中マスク１０の縦方向Ａのみならず横方向Ｂに撓んで弾性変形が可能である。したがって、連結部２０にそれを後方または/および側方に引っ張る力や捩れさせたりする力が作用しても、その一部が切れたり、破断するおそれはない。
【００２０】
図７（ａ）〜（ｃ）は、連結部２０の係止部２３をバックル本体２５の透孔３１に挿入する過程を示す図である。
【００２１】
図７（ａ）に示すとおり、まず、操作者が係止部２３の第２端部２３ｂをバックル本体２５の透孔３１の第１挿通孔４３に向け、第１端部２３ａを指で押して第２端部２３ｂを弾性変形させながら第１挿通孔４３からバックル本体２５の空間部３４に進入させる。このとき、透孔３１の上方開口縁３１ａが連結部２０の係止部２３の断面形状とほぼ同様の形状を有していることから、上方開口縁３１ａに係止部２３の外周面、すなわち、側縁部２３ｃ、傾斜部２３ｄおよび後端部２３ｅを摺接させながら挿入することができるので、バックル１５をマスク本体１４に対して誤った向きに取り付けてしまうおそれはない。また、傾斜部２３ｄが側縁部２３ｃから斜めに延びていることによって、第２端部２３ｂの先端は先尖状を有しているので、係止部２３を第１挿通孔４３に対して斜めに挿入しても挿入操作が容易である。係止部２３が第１挿通孔４３に挿入されることによって、基部２２の凹部２４は係止部２３の側に引っ張られて弾性変形し、その一部が第２挿通孔４４に挿入された状態となる。
【００２２】
次に、図７（ｂ）に示すとおり、係止部２３を弾性変形させながらさらにバックル１５の空間部３４に向かって押し込むと、基部２２の凹部２４が第２挿通孔４４の下方に挿入される。さらに、係止部２３の第１端部２３ａを透孔３１に向かって指で押すことによって、第１端部２３ａも第１挿通孔４３を通過し、バックル１５の空間部３４に進入する。これにより、係止部２３全体が空間部３４内に位置し、係止部２３の背面がバックル本体２５の受止部３２の内面と当接し、基部２２の凹部２４が第２挿通孔４４に嵌合された状態となる。このように、基部２２の凹部２４が嵌合されることによって、係止部２３が空間部３４内において安定的に固定され、バックルがマスク本体１４に対して捩れるのを防止することができる。また、前記のように、第１挿通孔４３が係止部２３の断面外形よりも小さく、かつ、透孔３１の縦方向Ａにおける開口寸法は係止部２３の縦方向Ａの寸法よりも小さいので、ストラップ１６を後方に引っ張っても係止部２３が透孔３１から抜け出ることはなく、バックル１５との嵌合が解除されてストラップ１６がマスク本体１４から外れてしまうことはない。
【００２３】
本実施形態では、バックル本体２５の透孔３１は略鍵形状であるが、連結部２０の係止部２３を弾性変形させながら空間部３４に挿入でき、かつ、係止部２３が不容易に透孔３１から抜け出ることがない限りにおいて、円形、角形などの各種の形状であってもよい。また、係止部２３の形状も透孔３１の形状に合わせて自由に設計できる。また、係止部２３の破断強度などに応じて、透孔３１が、連結部２０の長さ寸法よりも小さな開口寸法を有する第１挿通孔４３のみから形成されており、第２挿通孔４４を有するものでなくてもよい。
【００２４】
＜第２実施形態＞
図８は、本発明の第２実施形態における水中マスク１０の斜視図である。本実施形態の水中マスク１０は、第１実施形態と同様の基本的構成を有するものであるが、相違する点として、本実施形態では、連結部２０がレンズフレーム１２の両側部から後方へ延びている。連結部２０は、弾性変形可能な柔軟弾性材料から形成されており、レンズフレーム１２は軟質又は硬質のプラスチック材料から形成されているものであって、連結部２０は、レンズフレーム１２と一体に成形されていてもよいし、別体であって接着剤又は溶着によってレンズフレーム１２に接合されていてもよい。
【符号の説明】
【００２５】
１０  水中マスク
１１  レンズ
１２  レンズフレーム
１３  スカート
１４  マスク本体
１５  バックル
１６  ストラップ
１９  後方周縁部
２０  連結部
２２  基部
２３  係止部
２３ａ  係止部の第１端部
２３ｂ  係止部の第２端部
２４  凹部
２５  バックル本体
３１  透孔
３２  受止部
４３  第１挿通孔
４４  第２挿通孔
【図１】
2011135946.tif 000003
【図２】
2011135946.tif 000004
【図３】
2011135946.tif 000005
【図４】
2011135946.tif 000006
【図５】
2011135946.tif 000007
【図６】
2011135946.tif 000008
【図７】
2011135946.tif 000009
【図８】
2011135946.tif 000010